(57)【要約】【課題】  精度管理用検体の有効期限の経過後に、グループ内の複数の臨床検査装置の各々の精度管理用検体の測定結果と各臨床検査装置の集計結果とを比較するための集計一覧表を自動的に作成して精度管理の利便性を高めることを目的とする。【解決手段】  １グループの複数施設に設置されており且つ端末が付設された複数の臨床検査装置とネットワークを介して接続される臨床検査システム用サーバであって、臨床検査装置から精度管理用検体の測定結果を受信し、その精度管理用検体の有効期限が切れた場合に、その臨床検査装置の属するグループを特定し、この精度管理用検体の測定結果と前記グループに属する各臨床検査装置の測定結果を集計し、前記測定結果と集計結果を比較するための集計一覧表を作成する一覧表作成手段を備える。【選択図】  図１
2008112465.tif 000002
【特許請求の範囲】
【請求項１】
１グループの複数施設に設置されており且つ端末が付設された複数の臨床検査装置とネットワークを介して接続される臨床検査システム用サーバであって、
各臨床検査装置とネットワークを介して通信するためのインターフェイスと、
臨床検査装置の属性として施設を特定するためのＩＤおよびグループを特定するためのグループコードを格納し、且つ、臨床検査装置を特定する情報を格納する記憶手段と、
各臨床検査装置からインターフェイスを介して受信した精度管理用検体の測定結果、精度管理用検体の種別情報および製造ロット情報を記憶する測定結果記憶手段と、
精度管理用検体の種別情報、製造ロット情報および有効期限を記憶する精度管理用検体情報記憶手段と、
臨床検査装置から受信した精度管理用検体の種別情報および製造ロット情報に基づいて、精度管理用検体情報記憶手段に記憶された有効期限から受信した測定結果に用いられた精度管理用検体の有効期限が切れたか否かを判定する判定手段と、
判定手段によって精度管理用検体の有効期限が切れたと判定された場合に、臨床検査装置を特定する情報に基づいて記憶手段に格納されたグループコードから臨床検査装置の属するグループを特定し、この精度管理用検体の測定結果と測定結果記憶手段から読み出した前記グループに属する各臨床検査装置の測定結果を集計し、前記測定結果と集計結果を比較するための集計一覧表を作成する一覧表作成手段と、を備えることを特徴とする臨床検査システム用サーバ。
【請求項２】
前記測定結果記憶手段が、各臨床検査装置からインターフェイスを介して受信した精度管理用検体の測定項目を記憶し、前記一覧表作成手段は、測定項目毎に前記集計一覧表を作成する請求項１記載の臨床検査システム用サーバ。
【請求項３】
前記集計一覧表を、要求に応じて前記端末に配信する配信手段を備えた請求項１または請求項２記載の臨床検査システム用サーバ。
【請求項４】
前記グループに属する各臨床検査装置の測定結果の集計結果が、前記各測定結果の平均を含む請求項１〜３の何れか１項に記載の臨床検査システム用サーバ。
【請求項５】
前記グループに属する各臨床検査装置の測定結果の集計結果が、前記各測定結果の標準偏差を含む請求項１〜４の何れか１項に記載の臨床検査システム用サーバ。
【請求項６】
請求項１〜５の何れか１項に記載のサーバとネットワークを介して接続される前記各臨床検査装置とからなる臨床検査システム。
【請求項７】
１グループの複数施設に設置されており且つ端末が付設された複数の臨床検査装置および基準の臨床検査装置とネットワークを介して接続される臨床検査システム用サーバであって、
各臨床検査装置とネットワークを介して通信するためのインターフェイスと、
臨床検査装置の属性として施設を特定するためのＩＤおよびグループを特定するためのグループコードを格納し、且つ、臨床検査装置を特定する情報を格納する記憶手段と、
各臨床検査装置からインターフェイスを介して受信した精度管理用検体の測定結果、精度管理用検体の種別情報および製造ロット情報、および基準の臨床検査装置からインターフェイスを介して受信した精度管理用検体の測定結果、精度管理用検体の種別情報および製造ロット情報を記憶する測定結果記憶手段と、
臨床検査装置から受信した精度管理用検体の種別情報および製造ロット情報に基づいて、精度管理用検体情報記憶手段に記憶された有効期限から受信した測定結果に用いられた精度管理用検体の有効期限が切れたか否かを判定する判定手段と、
判定手段によって精度管理用検体の有効期限が切れたと判定された場合に、臨床検査装置を特定する情報に基づいて記憶手段に格納されたグループコードから臨床検査装置の属するグループを特定し、この精度管理用検体の測定結果と測定結果記憶手段から読み出した前記グループに属する各臨床検査装置の測定結果を集計し、前記測定結果と基準の臨床検査装置からの測定結果と集計結果を比較するための集計一覧表を作成する一覧表作成手段と、を備えることを特徴とする臨床検査システム用サーバ。
【請求項８】
請求項７記載のサーバとネットワークを介して接続される前記各臨床検査装置および基準の臨床検査装置とからなる臨床検査システム。
【発明の詳細な説明】
【技術分野】
【０００１】
本発明は臨床検査システム用サーバに関し、特にネットワークを介して複数の臨床検査装置に接続されるサーバに関する。
【背景技術】
【０００２】
この発明に関連する従来技術としては、同時に少なくとも１ヶ所の離隔した場所でサンプルを分析し、中央のラボにおいてそれぞれの分析結果を評価するための相互応答型の臨床検査システムが知られている（例えば特許文献１参照）。
【０００３】
【特許文献１】米国特許第６１９２３２０号
【発明の開示】
【発明が解決しようとする課題】
【０００４】
このような従来のシステムは、１つのグループの複数施設に複数の臨床検査装置がある場合については考慮されていない。従って、同一グループに複数の臨床検査装置がある場合であっても、各臨床検査装置が全く独立しているため、グループ内の複数の装置を一括管理するには不便であった。この発明はこのような事情を考慮してなされたもので、精度管理用検体の有効期限の経過後に、グループ内の複数の臨床検査装置の各々の精度管理用検体の測定結果と各臨床検査装置の集計結果とを比較するための集計一覧表を自動的に作成して精度管理の利便性を高めることを目的とする。
【課題を解決するための手段】
【０００５】
この発明はこのような事情を考慮してなされたもので、１グループの複数施設に設置されており且つ端末が付設された複数の臨床検査装置とネットワークを介して接続される臨床検査システム用サーバであって、各臨床検査装置とネットワークを介して通信するためのインターフェイスと、臨床検査装置の属性として施設を特定するためのＩＤおよびグループを特定するためのグループコードを格納し、且つ、臨床検査装置を特定する情報を格納する記憶手段と、各臨床検査装置からインターフェイスを介して受信した精度管理用検体の測定結果、精度管理用検体の種別情報および製造ロット情報を記憶する測定結果記憶手段と、精度管理用検体の種別情報、製造ロット情報および有効期限を記憶する精度管理用検体情報記憶手段と、臨床検査装置から受信した精度管理用検体の種別情報および製造ロット情報に基づいて、精度管理用検体情報記憶手段に記憶された有効期限から受信した測定結果に用いられた精度管理用検体の有効期限が切れたか否かを判定する判定手段と、判定手段によって精度管理用検体の有効期限が切れたと判定された場合に、臨床検査装置を特定する情報に基づいて記憶手段に格納されたグループコードから臨床検査装置の属するグループを特定し、この精度管理用検体の測定結果と測定結果記憶手段から読み出した前記グループに属する各臨床検査装置の測定結果を集計し、前記測定結果と集計結果を比較するための集計一覧表を作成する一覧表作成手段と、を備えることを特徴とする臨床検査システム用サーバを提供するものである。
【０００６】
また、この発明は、１グループの複数施設に設置されており且つ端末が付設された複数の臨床検査装置および基準の臨床検査装置とネットワークを介して接続される臨床検査システム用サーバであって、各臨床検査装置とネットワークを介して通信するためのインターフェイスと、臨床検査装置の属性として施設を特定するためのＩＤおよびグループを特定するためのグループコードを格納し、且つ、臨床検査装置を特定する情報を格納する記憶手段と、各臨床検査装置からインターフェイスを介して受信した精度管理用検体の測定結果、精度管理用検体の種別情報および製造ロット情報、および基準の臨床検査装置からインターフェイスを介して受信した精度管理用検体の測定結果、精度管理用検体の種別情報および製造ロット情報を記憶する測定結果記憶手段と、臨床検査装置から受信した精度管理用検体の種別情報および製造ロット情報に基づいて、精度管理用検体情報記憶手段に記憶された有効期限から受信した測定結果に用いられた精度管理用検体の有効期限が切れたか否かを判定する判定手段と、判定手段によって精度管理用検体の有効期限が切れたと判定された場合に、臨床検査装置を特定する情報に基づいて記憶手段に格納されたグループコードから臨床検査装置の属するグループを特定し、この精度管理用検体の測定結果と測定結果記憶手段から読み出した前記グループに属する各臨床検査装置の測定結果を集計し、前記測定結果と基準の臨床検査装置からの測定結果と集計結果を比較するための集計一覧表を作成する一覧表作成手段と、を備えることを特徴とする臨床検査システム用サーバを提供するものである。
【発明の効果】
【０００７】
この発明によれば、ユーザはコントロール検体の有効期限経過後に使用中の臨床検査装置によるコントロール検体の測定値の経時変化をグループ内の各臨床検査装置の集計結果と比較する集計一覧表を容易に入手することができるので、精度管理の利便性が高まる。
【発明を実施するための最良の形態】
【０００８】
この発明における施設とは、例えば、病院や検査センターなどであり、１台以上の臨床検査装置を設置した場所をいう。また、グループとは少なくとも２つ以上の施設における臨床検査装置を協同で精度管理するためにユーザの要望によって決められたグループをいう。
【０００９】
このシステムに用いる臨床検査装置としては、例えば血球計数装置があげられ、その装置は各項目の測定部および装置各部の異常の有無（エラー情報）を検知するセンサを備え、測定結果を算出してエラー情報と共にサーバへ送信する機能を備える。その装置には、シスメックス（株）製の型式ＸＥ−２１００を用いることができる。
【００１０】
この発明の端末には、一般的なパーソナルコンピュータに通信用のソフトをインストールしたものを用いることができる。また、ネットワークには、インターネットを利用することができる。サーバには、各種データベースとしてのハードディスクと、臨床検査装置から受入れた情報を端末からの指令に基づいて加工するデータ処理部とを備えたものを用いることができる。
【００１１】
また、この発明に使用する精度管理用検体とは、精度管理用に人工的に調製された模擬血液や模擬尿など（コントロール検体）であり、その使用有効期間は例えば５０日である。このようなコントロール検体には、例えば、シスメックス（株）製のｅ−ＣＨＥＣＫや、ＵＦチェックを用いることができる。各臨床検査装置の集計結果とは、例えば、サーバに接続されている全て（複数）の臨床検査装置の精度管理用検体の測定値の平均値、標準偏差、最大値、最小値などである。
【００１２】
実施例以下、図面に示す実施例に基づいてこの発明を詳述する。図１は、この発明の臨床検査システムの全体構成図である。臨床検査装置１，２，３，７，８，９，１４は血球計数装置であり、これには、例えばＸＥ−２１００（シスメックス（株）製）を好適に使用できる。端末４，５，６，１０，１１，１２，１５はパーソナルコンピュータであり、Windows（登録商標）、Internet Explorer（いずれもMicrosoft社製）などのソフトがインストールされている。
【００１３】
各臨床検査装置および端末はハブ１６，１７，１８，１９を介しインターネットのネットワークＮＷを経由するか又は直接サーバ１３に接続されている。また、臨床検査装置１，２，３および端末４，５，６はＡ病院に設置されている。臨床検査装置７および端末１０はＢ病院に設置されている。臨床検査装置８，９および端末１１，１２はＣ検査センターに設置されている。
【００１４】
なお、この実施例では、臨床検査装置はすべて同じ機種としたが、異なる機種であってもよい。また、臨床検査装置１４は基準の臨床検査装置であり、これは、臨床検査装置のメーカーにより高い測定精度を維持するように管理されている。
【００１５】
図２は、サーバ１３の内部構成を示すブロック図である。サーバ１３は、ＩＤ管理データベース（以下、データベースをＤＢと記す）２１、装置情報管理ＤＢ２２、エラーログＤＢ２３、ＱＣ測定値ＤＢ２４、コントロール情報ＤＢ２５、統計値ＤＢ２６、およびＱＣレポートＤＢ２７を有している。これらのＤＢは、ハードディスクで構成される。
【００１６】
また、サーバ１３は、装置一覧表作成部２８、グループ一覧表作成部２９、オンラインＱＣ作成部３０、エラーログ作成部３１、統計値算出部３４およびオンラインＱＣレポート作成部３３を有している。これらはＣＰＵ，ＲＯＭ，ＲＡＭ等から構成される。サーバ１３はさらにインターフェイス３２を備え、インターフェイス３２は、データを例えばＴＣＰ／ＩＰで送受信可能とする。
【００１７】
図３は、臨床検査装置１，２，３，７，８，９，１４の内部構成を示すブロック図である。臨床検査装置は、検体吸引部３１から被検者の検体である血液又は精度管理用の検体（以下、コントロール検体という）を検体容器から吸引するとともに、検体容器に貼付されているバーコードを検体バーコード読取部３２で読み取る。検体吸引部から吸引された検体は試薬で希釈、溶血されたのち、検出部３３から排出部３４へと移動し、装置外部へ排出される。
【００１８】
検出部３３では、検体から検出データ取得部３５、例えば、フローサイトメーターによって蛍光、散乱光などのデータが取得される。一方、検体バーコード読取部３２で読み取られた情報（検体番号、コントロール検体の製造ロット番号などの情報）は、血液／コントロール検体判断部３６へ送付される。
【００１９】
血液／コントロール検体判断部３６は、その検体が血液であるか、コントロール検体であるかを判断する。検体が血液であれば、測定結果算出部３７が血液解析用プログラムによって検出データ取得部３５で取得したデータを解析し、解析結果を表示部３８に表示する。
【００２０】
検体がコントロール検体であれば、測定結果算出部３９がコントロール検体解析用プログラムによって検出データ取得部３５で取得したデータを解析し、解析結果を表示部３８に表示するとともに、送信データ作成部４０に出力する。
【００２１】
送信データ作成部４０は、取得した解析結果を臨床検査装置の機種名、シリアルＮｏ．とコントロール検体の種別、製造ロット番号などの情報とともにインターフェイス４１を介してサーバ１３に送信する。
【００２２】
また、臨床検査装置に何らかのエラー（異常）が発生した場合には、エラー発生時にエラー情報作成送信部４２が、装置の機種名、シリアルＮｏ、エラーの情報、エラーの発生日時を、サーバ１３にインターフェイス４１を介して送信する。ここで、エラーの種類とは、装置内圧力異常、血液吸引異常、排液排出異常、コントロール検体測定値異常などであり、エラーの重要度によって分類されることが好ましい。
【００２３】
血液／コントロール検体判断部３６、測定結果算出部３７，３９、送信データ作成部４０、エラー情報作成送信部４２はＣＰＵ，ＲＯＭ，ＲＡＭ等から構成される。インターフェイス４１は、データを例えばＴＣＰ／ＩＰで送受信可能とする。
【００２４】
各臨床検査装置は、コントロール検体（この実施例ではｅ−ＣＨＥＣＫ（シスメックス（株）製）を１日１回測定し、図８に示すように、機種名、シリアルＮｏ、コントロール検体の種別、コントロール検体の製造ロット情報、測定項目、測定値及び測定日付を自動的にサーバ１３へ送信する。この情報は、測定項目ごとにつまり、赤血球（ＲＢＣ）、血小板（ＰＬＴ）、白血球（ＷＢＣ）などの各々について送信される。測定日付は、必ずしも送付する必要はなく、サーバ１３がこれらのデータを受信した日を測定日付としてもよい。
【００２５】
次に、サーバ１３における各ＤＢの内容について説明する。ＩＤ管理ＤＢ２１は図４に示すように、ＩＤ、パスワード、施設名、グループコードを格納する。
【００２６】
ＩＤおよびパスワードは、ユーザが臨床検査システムのサービスを受けるために必要な情報であり、サービス加入時に臨床検査装置を設置する施設（例えば病院）毎に登録設定される。グループコードとは、グループ化された複数の施設を特定するためのコードであり、この実施例では、Ａ病院とＢ病院とが１つのグループに属する病院としている。
【００２７】
装置情報管理ＤＢ２２は、加入している臨床検査装置について、図５に示すように、ＩＤ、機種名、通称名（NickName）、シリアルＮｏを格納する。通称名（NickName）とは、ユーザが便宜上、臨床検査装置に任意に付けた名称である。シリアルＮｏは１つの臨床検査装置に対して１つだけ与えられており、装置を特定することができる。
【００２８】
各臨床検査装置からはサーバ１３へ図８に示すコントロール検体測定情報が送信される。臨床検査装置にエラーが発生した場合には、その装置は、シリアルＮｏ、エラーの種類、エラーの発生日時を、サーバ１３に送信する。エラーログ作成部３１は、臨床検査装置から受信したシリアルＮｏ、エラーの種類、エラーの発生日時及び装置情報管理ＤＢ２２の情報から図６に示す表を作成してエラーログＤＢ２３に格納する。
【００２９】
オンラインＱＣ作成部３０は、図８に示す情報を受けて、図７の（ａ）〜（ｃ）に示す表を作成し、ＱＣ測定値ＤＢ２４へ格納する。図７の（ａ）は測定項目が赤血球（ＲＢＣ）、図７の（ｂ）は血小板（ＰＬＴ）、図７の（ｃ）は白血球（ＷＢＣ）の場合を示す。
【００３０】
コントロール情報ＤＢ２５には、図９に示すコントロール検体情報、つまり、コントロール検体の種別、コントロール検体の製造ロット情報、コントロール検体の有効期限が格納される。
【００３１】
統計値ＤＢ２６には、図１０の（ａ）〜（ｆ）に示すように、コントロール検体の製造ロットごと、測定日ごと、測定項目ごとに、全ての臨床検査装置の測定値平均および標準偏差がＱＣ測定値ＤＢ２４に格納されている各臨床検査装置の測定値に基づいて統計値算出部３４によって計算され、格納される。ＱＣレポートＤＢ２７には、後述するように、統計値ＤＢ２６に格納されている統計値データに基づいてオンラインＱＣレポート作成部３３が作成した図１１に示すレポートの内容が格納される。
【００３２】
このようなシステムの構成において、この発明の特徴の１つである施設およびグループに属する複数の臨床検査装置の状況一覧表は、それぞれ図１２と図１３に示される。図１２では、Ａ病院に属する３台の臨床検査装置１，２，３の状況（エラーの有無）が、機種名、通称名と共に一括して示されている。図１３では、１グループのＡ病院とＢ病院とに属する４台の臨床検査装置１，２，３，７の状況が施設名、機種名、通称名と共に一括して示されている。
【００３３】
図１２と図１３における装置の状況欄は、過去４８時間以内にエラーがあったものについてマーク※が付加される。また、図１２と図１３における「オンラインＱＣへ」のマーク□は、指令ボタンであり、ユーザが端末に表示されたこのボタンを選択すると、ＱＣレポートＤＢ２７に格納されているオンラインＱＣレポート（詳細は後述）がダウンロードされるようになっている。
【００３４】
図１２と図１３に示す一覧表は、ユーザが端末上で施設又はグループ一覧表表示ボタンを押すことにより、サーバ１３の装置一覧表作成部２８とグループ一覧表作成部２９とがＩＤ管理ＤＢ２１のＩＤ又はグループコードをキーとして必要な情報をＩＤ管理ＤＢ２１、装置情報管理ＤＢ２２、エラーログＤＢ２３から読み出して作成する。
【００３５】
このような一覧表の作成手順について図１４のフローチャートを用いてさらに詳しく説明する。サーバ１３にいずれかの臨床検査装置が接続されると、サーバ１３はその装置のＩＤとパスワードを受け付け（ステップＳ１）、受け付けたＩＤとパスワードがＩＤ管理ＤＢ２１に登録されているか否かを確認し（ステップＳ２）、登録されていないと接続を拒否する（ステップＳ３）。
【００３６】
登録されていると、受け付けたパスワードに対応するグループコードをＩＤ管理ＤＢ２１から読み出す（ステップＳ４）。次に、読み出したグループコードに対応する施設名、機種名、NickName、シリアルＮｏ．をＩＤ管理情報ＤＢ２１と装置情報管理ＤＢ２２から読み出して図１３に示すグループ一覧表を作成する（ステップＳ５）。但し、シリアルＮｏ．は表示しない。この時点では「状況」の欄は空白である。
【００３７】
次に、読み出したシリアルＮｏ．に対応するエラー日時をエラーログＤＢ２３から１つ読み出して、そのエラー日時が過去４８時間以内のものか否かを確認する（ステップＳ６，Ｓ７）。４８時間以内のものであると、そのシリアルＮｏ．の装置は４８時間以内にエラーを発生したものと判定し（ステップＳ８）、作成した図１３の表の「状況」の覧にエラー有り、つまり※マークを付加する（ステップＳ９）。
【００３８】
一方、エラー日時が４８時間以前のものである場合には、読み出したシリアルＮｏ．に対応するエラー日時が他にもあるか否かを確認し（ステップＳ１０）、ある場合にはルーチンはステップＳ６に戻る。
【００３９】
そして、一覧表の装置の内、４８時間以内にエラーを生じた装置のすべてに※マークを付加し終わると、その一覧表の「オンラインＱＣへ」の欄にボタンを追加して、一覧表の作成作業を終了する。作成された一覧表は要求のあった端末の画面に表示される。なお、図１２に示す表の作成は、ステップＳ５において読み出したＩＤに対応する機種名等を読み出すことによって行われる。図１２又は図１３の表のいずれを作成するかは、ユーザの選択指令による。
【００４０】
次に、この発明のもう１つの特徴であるオンラインＱＣレポートの作成手順について、図１５に示すフローチャートを用いて説明する。サーバ１３は、各臨床検査装置から日々コントロール検体についての測定結果を取得し（ステップＳ２１）、コントロール情報ＤＢ２５を常に参照して使用中のコントロール検体の有効期限が切れたか否かを判定する（ステップＳ２２）。切れたと判定した時には、オンラインＱＣレポート作成部３３が図７に示すＱＣ測定値に基づいてさらに必要な統計値を算出して統計値表を作成する（ステップＳ２３）。
【００４１】
作成した統計値表は統計値ＤＢ２６に格納される（ステップＳ２４）。オンラインＱＣレポート作成部３３は、格納された統計値表とＩＤ管理ＤＢ２１、装置情報管理ＤＢ２２、コントロール情報ＤＢ２５の情報とに基づいて、図１１に示すようなオンラインＱＣレポートを作成し（ステップＳ２５）、ＱＣレポートＤＢ２７に格納する（ステップＳ２６）。
【００４２】
そして、ユーザからの要求に応じてオンラインＱＣレポートをユーザへ配信する（ステップＳ２７）。なお、図１１に示すオンラインＱＣレポートの一例は、Ａ病院宛の臨床検査装置１についてのレポートであり、集計対象期間は１１月９日と１０日の２日間となっている（これは装置１がコントロール検体の有効期限内に１１月９日と１０日の２回だけコントロール検体の測定を行ったことを表す）。なお、図１１の表は、グラフ化して示すこともできる。
【００４３】
また、図１１の測定項目（ＲＢＣ，ＰＬＴ，ＷＢＣ）ごとの表において、YourDataはユーザの装置、ここでは臨床検査装置１のコントロール検体の測定値を表す。Group Meanは、登録されているすべての臨床検査装置（ここでは装置１，２，３，７，８，９）によるコントロール検体の測定値の平均を表す。Group SDは登録されているすべての臨床検査装置によるコントロール検体の測定値の標準偏差を表す。Group SDIは、(Your Data-Group Mean)／Group SDを表す。
【００４４】
Group Nは、登録されているすべての臨床検査装置の数を表す（但し、基準の臨床検査装置を除く）。Reference Gは、基準の臨床検査装置（ここでは装置１４）によるコントロール検体の測定値（基準値）を表す。Lot Averageは、日々取得された測定値、平均値、標準偏差等の平均を表す。以上説明したように臨床検査システムが動作することにより、ユーザは、コントロール検体の製造ロットごとの精度管理情報を容易に入手することができる。
【図面の簡単な説明】
【００４５】
【図１】この発明の臨床検査システムの全体構成図である。
【図２】この発明に係るサーバの内部構成を示すブロック図である。
【図３】この発明に係る臨床検査装置の構成を示すブロック図である。
【図４】この発明に係るサーバに格納される情報を示す説明図である。
【図５】この発明に係るサーバに格納される情報を示す説明図である。
【図６】この発明に係るサーバに格納される情報を示す説明図である。
【図７】この発明に係るサーバに格納される情報を示す説明図である。
【図８】この発明に係る臨床検査装置からサーバへ送信する情報の説明図である。
【図９】この発明に係るサーバに格納される情報を示す説明図である。
【図１０】この発明に係るサーバに格納される情報を示す説明図である。
【図１１】この発明に係るオンラインＱＣレポートを示す説明図である。
【図１２】この発明に係る装置一覧表を示す説明図である。
【図１３】この発明に係るグループ一覧表を示す説明図である。
【図１４】この発明に係るサーバの動作を示すフローチャートである。
【図１５】この発明に係るサーバの動作を示すフローチャートである。
【符号の説明】
【００４６】
１ 臨床検査装置
２ 臨床検査装置
３ 臨床検査装置
４ 端末
５ 端末
６ 端末
７ 臨床検査装置
８ 臨床検査装置
９ 臨床検査装置
１０ 端末
１１ 端末
１２ 端末
１３ サーバ
１４ 臨床検査装置
１５ 端末
１６ ハブ
１７ ハブ
１８ ハブ
１９ ハブ
ＮＷ ネットワーク
【図１】
2008112465.tif 000003
【図２】
2008112465.tif 000004
【図３】
2008112465.tif 000005
【図４】
2008112465.tif 000006
【図５】
2008112465.tif 000007
【図６】
2008112465.tif 000008
【図７】
2008112465.tif 000009
【図８】
2008112465.tif 000010
【図９】
2008112465.tif 000011
【図１０】
2008112465.tif 000012
【図１１】
2008112465.tif 000013
【図１２】
2008112465.tif 000014
【図１３】
2008112465.tif 000015
【図１４】
2008112465.tif 000016
【図１５】
2008112465.tif 000017